(57)【要約】【課題】被記録媒体に余計な力がかけられることなく円滑に媒体排出部から排出される被記録媒体排出装置を提供する。【解決手段】被記録面ＳＰを有するシートＳＴを排出する排出部１５と、媒体排出部から重力方向側に離れて設けられ、排出部から排出されるシートＳＴを受ける媒体受け面８２を有する媒体受け部１８と、を備え、排出部から排出されたシートＳＴが、媒体受け面に接触したのち、被記録面と媒体受け面とが対向する状態に湾曲して媒体受け面上に排出される被記録媒体排出装置１００であって、シートＳＴの排出部からの排出方向と直交する方向に軸線を有する回動軸７０を中心に回動可能に設けられ、排出部から排出されたシートＳＴを被記録面に接触して湾曲させながら媒体受け部へガイドするガイド位置と、湾曲されたシートＳＴの湾曲部ＲＳに押圧され媒体受け部へのガイドを解除する非ガイド位置と、の間を回動するガイド部１７を備える。【選択図】図４
2013079131.tif 000002
【特許請求の範囲】
【請求項１】
被記録面を有する被記録媒体を前記被記録面とは反対側から支持しつつ重力方向側に排出する媒体排出部と、
前記媒体排出部から重力方向側に離れて設けられ、前記媒体排出部から排出される前記被記録媒体を受ける媒体受け面を有する媒体受け部と、を備え、
前記媒体排出部から排出された前記被記録媒体が、前記媒体受け面に接触したのち、前記被記録面と前記媒体受け面とが対向する状態に湾曲して前記媒体受け面上に排出される被記録媒体排出装置であって、
前記被記録媒体の前記媒体排出部からの排出方向と交差する幅方向に沿った軸線を有する回動軸を中心に回動可能に設けられ、前記媒体排出部から排出された前記被記録媒体を前記被記録面に接触することにより当該被記録面側が凸面となるように湾曲させつつ前記媒体受け部へガイドするガイド位置と、湾曲された前記被記録媒体の湾曲部に前記ガイド位置から離れる方向へ押圧されることにより前記媒体受け部への前記被記録媒体のガイドを解除する非ガイド位置と、の間を回動するガイド部を備えることを特徴とする被記録媒体排出装置。
【請求項２】
請求項１に記載の被記録媒体排出装置において、
前記ガイド部は、前記被記録媒体と接触しつつ前記回動軸を中心にして回動自在なガイド部材と、前記ガイド部材に対して当該ガイド部材を前記被記録媒体と接触する方向へ回転させる回転トルクを付与するトルク付与部材と、を有し、
前記トルク付与部材は、前記ガイド部材に対して、前記ガイド位置において付与する前記回転トルクよりも小さい前記回転トルクを前記非ガイド位置において付与することを特徴とする被記録媒体排出装置。
【請求項３】
請求項２に記載の被記録媒体排出装置において、
前記トルク付与部材は、
前記ガイド部材と前記回動軸を挟んで対向する位置に設けられ、前記ガイド部材の前記回動軸を中心とする回転モーメントと同じ大きさで逆方向の回転モーメントを有する第１バランス部材と、
前記ガイド部材に前記回転トルクを付与する第２バランス部材と、
を有することを特徴とする被記録媒体排出装置。
【請求項４】
請求項２または３に記載の被記録媒体排出装置において、
前記ガイド部材は、
前記媒体排出部から排出される前記被記録媒体の排出方向よりも重力方向側であって前記排出方向に対して鋭角をなす方向に傾斜する傾斜面を有する第１傾斜面部と、
前記第１傾斜面部と重力方向側に連続して形成され、前記第１傾斜面部よりも鉛直方向に近い方向に傾斜する傾斜面を有する第２傾斜面部と、
を有することを特徴とする被記録媒体排出装置。
【請求項５】
請求項２ないし４のいずれか一項に記載の被記録媒体排出装置において、
前記ガイド部材は、前記被記録媒体の前記排出方向と交差する幅方向に沿って複数備えられることを特徴とする被記録媒体排出装置。
【請求項６】
被記録媒体に対して媒体排出部から排出される前に前記被記録媒体の被記録面に液体を噴射して記録を施す記録部と、
請求項１ないし５のいずれか一項に記載の被記録媒体排出装置と、
を備える記録装置。
【発明の詳細な説明】
【技術分野】
【０００１】
本発明は、記録が施される被記録媒体を排出する被記録媒体排出装置およびこの被記録媒体排出装置を備えた記録装置に関する。
【背景技術】
【０００２】
従来から、記録装置の一種として、ロール状に巻かれた状態から巻き出されて記録部を通過するように搬送される被記録媒体に対して、記録部に備えられた記録ヘッドから液体を噴射して記録を施したのち、その被記録媒体を所定の長さに切断して排出するインクジェット式のプリンターが広く知られている。この種のプリンターは、例えば特許文献１に開示されているように、通常、大型プリンターであり、鉛直方向上側に被記録媒体に対して記録を施す印刷部（記録部）を有するプリンター本体（装置本体）と、その重力方向側である下側に装置本体と離れて配設された排紙スタック部（媒体受け面）とを備えている。
【０００３】
このような大型プリンターでは、同じく特許文献１に開示されたように、作業性や水平方向における省スペース化のため、装置本体において搬送される被記録媒体の搬送方向を水平方向に対して傾斜させるとともに、搬送方向の下流側において記録後の被記録媒体を媒体受け面に向けて排出する媒体支持面が、搬送方向と同様に傾斜して設けられている。そして、記録が施された後に切断された被記録媒体については、傾斜する媒体支持面に沿って移動（落下）させることにより装置本体から排出させた後、媒体受け面によって受け止めるとともに、その被記録媒体における記録が施された被記録面を媒体受け面と対向させるように湾曲させている。この湾曲によって被記録媒体は媒体受け面に沿って移動して、被記録面が下側になるフェイスダウン状態で媒体受け面に排出される。
【先行技術文献】
【特許文献】
【０００４】
【特許文献１】特開２０００−１５８７３８号公報
【発明の概要】
【発明が解決しようとする課題】
【０００５】
しかしながら、特許文献１に開示された大型プリンターにおいては、媒体支持面に沿って排出される被記録媒体（用紙）を媒体受け面に向けてガイドするガイド部が、固定式のコロローラー（排紙補助ローラー）とホルダー（カッターホルダー）とによって構成されている。このため、被記録媒体の腰の強さが違う場合などにおいて、排出される被記録媒体のガイド部にガイドされる際の姿勢（例えば湾曲形状）が異なる場合は、この被記録媒体の姿勢の違いに応じてガイド部（例えば固定式のコロローラー）から被記録媒体にかかる力のかかり方が大きく変化する。この結果、切断されたのち排出される被記録媒体に余計な力がかかることがあつた。
【０００６】
本発明は、上記課題を解決するためになされたものであり、その目的は被記録媒体が余計な力をかけられることなく円滑に排出される被記録媒体排出装置及びこの被記録媒体排出装置を備えた記録装置を提供することにある。
【課題を解決するための手段】
【０００７】
上記目的を達成するために、本発明の被記録媒体排出装置は、被記録面を有する被記録媒体を前記被記録面とは反対側から支持しつつ重力方向側に排出する媒体排出部と、前記媒体排出部から重力方向側に離れて設けられ、前記媒体排出部から排出される前記被記録媒体を受ける媒体受け面を有する媒体受け部と、を備え、前記媒体排出部から排出された前記被記録媒体が、前記媒体受け面に接触したのち、前記被記録面と前記媒体受け面とが対向する状態に湾曲して前記媒体受け面上に排出される被記録媒体排出装置であって、前記被記録媒体の前記媒体排出部からの排出方向と交差する幅方向に沿った軸線を有する回動軸を中心に回動可能に設けられ、前記媒体排出部から排出された前記被記録媒体を前記被記録面に接触することにより当該被記録面側が凸面となるように湾曲させつつ前記媒体受け部へガイドするガイド位置と、湾曲された前記被記録媒体の湾曲部に前記ガイド位置から離れる方向へ押圧されることにより前記媒体受け部への前記被記録媒体のガイドを解除する非ガイド位置と、の間を回動するガイド部を備える。
【０００８】
この構成によれば、排出される被記録媒体を、ガイド位置にあるガイド部によって被記録面側が凸面となるように湾曲させつつ、その被記録媒体における排出方向の先端縁の移動方向を媒体受け面の方向にガイドする。この結果、被記録媒体は、その排出方向の先端縁が媒体受け面に接触した後、その媒体受け面に沿って移動して、被記録面が媒体受け面と対向する状態つまりフェイスダウン状態で媒体受け面上に適切に排出される。また、そのように被記録媒体が排出される途中で、ガイド部は被記録媒体に形成される湾曲部によって押圧されることによりガイド位置から非ガイド位置に回動変位させられるので、被記録媒体は余計な力がかけられることなく円滑に媒体排出部から排出される。
【０００９】
本発明の被記録媒体排出装置において、前記ガイド部は、前記被記録媒体と接触しつつ前記回動軸を中心にして回動自在なガイド部材と、前記ガイド部材に対して当該ガイド部材を前記被記録媒体と接触する方向へ回転させる回転トルクを付与するトルク付与部材と、を有し、前記トルク付与部材は、前記ガイド部材に対して、前記ガイド位置において付与する前記回転トルクよりも小さい前記回転トルクを前記非ガイド位置において付与する。
【００１０】
この構成によれば、被記録媒体の湾曲部によって押圧されて非ガイド位置に回動変位したガイド部材は、被記録媒体に加える力が、ガイド位置において被記録媒体に加える力よりも小さくなる。従って、被記録媒体は余計な力がかけられることなく、円滑に媒体排出部から排出される。
【００１１】
本発明の被記録媒体排出装置において、前記トルク付与部材は、前記ガイド部材と前記回動軸を挟んで対向する位置に設けられ、前記ガイド部材の前記回動軸を中心とする回転モーメントと同じ大きさで逆方向の回転モーメントを有する第１バランス部材と、前記ガイド部材に前記回転トルクを付与する第２バランス部材と、を有する。
【００１２】
この構成によれば、ガイド部材の形状に関わらず、第２バランス部材によってガイド部が被記録媒体に対して加える力を調節することができる。
本発明の被記録媒体排出装置において、前記ガイド部材は、前記媒体排出部から排出される前記被記録媒体の排出方向よりも重力方向側であって前記排出方向に対して鋭角をなす方向に傾斜する傾斜面を有する第１傾斜面部と、前記第１傾斜面部と重力方向側に連続して形成され、前記第１傾斜面部よりも鉛直方向に近い方向に傾斜する傾斜面を有する第２傾斜面部と、を有する。
【００１３】
この構成によれば、ガイド部は、被記録媒体の排出方向が鉛直方向に向くように被記録媒体を湾曲させることができる。従って、排出された被記録媒体は媒体受け面に適切に排出される。
【００１４】
本発明の被記録媒体排出装置において、前記ガイド部材は、前記被記録媒体の前記排出方向と交差する幅方向に沿って複数備えられる。
この構成によれば、幅方向において波打ち状態（コックリング）が発生した記録媒体に対して、波打ち状態となった部分に対してガイド部材によって集中荷重をかけることができる。従って被記録媒体の波打ち部分に対して矯正力を作用させることができる。
【００１５】
本発明の記録装置は、被記録媒体に対して媒体排出部から排出される前に前記被記録媒体の被記録面に液体を噴射して記録を施す記録部と、上記構成の被記録媒体排出装置と、
を備える。
【００１６】
この構成によれば、記録部によって被記録媒体に記録を施すとともに、記録が施された被記録面を媒体受け面と対向する状態つまりフェイスダウン状態で、被記録媒体に余計な力がかけられることなく円滑に媒体排出部から媒体受け部に排出される記録装置を提供できる。
【図面の簡単な説明】
【００１７】
【図１】本発明に係る実施形態の記録装置の概略構成を示す側面図。
【図２】記録装置が備える被記録媒体排出装置に設けられたガイド部の構造を示す斜視図。
【図３】ガイド位置と非ガイド位置の各状態を示すガイド部の側面図。
【図４】ガイド部がシートを媒体受け部にガイドするガイド位置にある状態を示す記録装置の側面図。
【図５】ガイド部がシートを媒体受け部にガイドしない非ガイド位置にある状態を示す記録装置の側面図。
【図６】ガイド部の回転動作とシートの排出との関係を示すグラフ。
【発明を実施するための形態】
【００１８】
以下、本発明を具体化した一実施形態である、液体の一例としてのインクを噴射する液体噴射ヘッドを記録ヘッドとして有し、ロール状に巻かれたロール紙から給送される長尺の被記録媒体としてのシート（用紙）の被記録面に対して、記録ヘッドから液体を噴射して画像を記録する記録装置について、図を参照して説明する。なお、以降の説明を容易にするため、図１に示したように、鉛直方向における反重力方向を上方向、重力方向を下方向とする。また、これと交差する方向であって、画像が記録されるシートＳＴに対して、記録ヘッド４２が位置する側の方向を前方向、その反対方向を後方向とする。さらに上下方向および前後方向の双方と交差する方向であってシートＳＴの幅方向を、前方向から見て、それぞれ右方向、左方向とする。
【００１９】
図１に示すように、記録装置１１は、シートＳＴの被記録面ＳＰに記録を施したのちシートＳＴを切断してカットシートＣＳ（図４参照）として排出する装置本体部１２と、その重力方向となる下方に、排出されるカットシートＣＳを被記録面ＳＰを下側にして積み重ねた状態で受ける（スタックする）媒体受け部１８と、を備えている。装置本体部１２はシートＳＴの排出方向と交差するシートＳＴの幅方向を長手方向とした略直方体形状を有し、装置本体部１２の長手方向の両側端部に設けられた板状の結合部材１９によって媒体受け部１８と連結固定されている。なお、図１では装置本体部１２について一部断面で示している。
【００２０】
まず装置本体部１２について説明する。装置本体部１２は、複数の部材で構成されたケース体２１で構成され、長尺のシートＳＴを収容した媒体収容部１３、シートＳＴに記録を施す記録部１４、シートＳＴを装置本体部１２から媒体受け部１８へ向けて排出する媒体排出部としての排出部１５を備える。また、記録部１４と排出部１５との間には、シートＳＴを切断する切断手段１６を備える。
【００２１】
媒体収容部１３は、軸部３２を中心に回動するカバー部材３１によって開蓋および閉蓋される収容空間を有し、この収容空間にロール状に巻かれてロール体ＲＴとされた長尺のシートＳＴを収容する。なお、ロール体ＲＴを収容空間に収容する際には、カバー部材３１を図中実線で示した閉蓋状態から二点鎖線で示した状態に回転移動させて、収容空間を開蓋状態にさせる。
【００２２】
記録部１４は、ロール体ＲＴから巻き出されたシートＳＴに対してその被記録面ＳＰ側の方向（前方向）に位置し、不図示の駆動手段（モーターなど）によってシートＳＴの幅方向となる装置本体部１２の長手方向に往復移動するキャリッジ４１を備えている。キャリッジ４１には、シートＳＴと対向する位置に記録ヘッド４２が設けられている。また、記録装置１１は、シートＳＴを記録ヘッド４２とは反対側（後方側）から支持する支持台や、そのシートＳＴを搬送する搬送ローラー（いずれも不図示）を備え、ロール体ＲＴから巻き出されたシートＳＴを搬送方向下流側となる排出部１５側へ搬送する。この搬送において、シートＳＴの幅方向に往復移動するキャリッジ４１に設けられた記録ヘッド４２からシートＳＴの被記録面ＳＰにインクを噴射してシートＳＴに記録を施す。
【００２３】
排出部１５は、記録部１４から搬送されるシートＳＴを被記録面ＳＰとは反対側の面に当接することで支持する媒体支持面５１が形成された支持面形成部材５１ｍと、媒体支持面５１とシートＳＴの搬送方向下流側に繋がる媒体支持面５２が形成された支持面形成部材５２ｍと、を有している。媒体支持面５１，５２は、装置本体部１２の長手方向に沿う平面であってシートＳＴの幅寸法よりも広い幅を有し、その前方から見た左右両端には、前後上下の両方向に延設されたケース側壁２２（図１では左側のみ図示）が装置本体部１２のケース体２１の一部材として配設されている。従って、媒体支持面５１，５２の前方は、ケース体２１で覆われない大気開放された開放空間となっている。シートＳＴは、媒体支持面５２における排出方向側端部となる傾斜方向の下端５２ａから、装置本体部１２の下方（重力方向側）に位置する媒体受け部１８に向けて排出される。なお、媒体支持面５２は、水平から前方下がりの傾斜面である。ちなみに、本実施形態では、媒体支持面５２の傾斜角は水平に対して凡そ５度とされている。
【００２４】
切断手段１６は、不図示の駆動手段によって回転されるとともに、シートＳＴの幅方向に移動する回転カッター６１を備えている。この回転カッター６１が、シートＳＴの厚さ方向に切り込みを入れつつシートＳＴの幅方向に移動することによってシートＳＴを切断して、シートＳＴを所定長さのシートすなわちカットシートＣＳに切り分ける。
【００２５】
装置本体部１２では、媒体収容部１３が装置本体部１２の上方後側に配設され、排出部１５が装置本体部１２の下方前側に配設されている。そして、ロール体ＲＴから巻き出されたシートＳＴは、記録部１４に設けられた搬送ローラーを含め、装置本体部１２内に形成された不図示の搬送手段によって、斜め上方後側から斜め下方前側に移動して排出部１５に搬送される。この斜め方向に搬送されるシートＳＴに対して記録部１４によって被記録面ＳＰへの記録が施されたのち、シートＳＴは、例えば施された記録範囲（長さ）に応じて切断手段１６によって所定の長さに切断され、カットシートＣＳとなって排出部１５から排出される。
【００２６】
次に媒体受け部１８について説明する。媒体受け部１８は、装置本体部１２の下方に排出部１５から離れて設けられ、装置本体部１２と結合部材１９を介して連結された基台部８１と、装置本体部１２の排出部１５から排出されたシートＳＴ（及びカットシートＣＳ）を受けるための受け面形成部材８２ｍ，８３ｍとを有している。各受け面形成部材８２ｍ，８３ｍは、基台部８１においてその前後方向の両端縁がそれぞれ固定され、基台部８１の後側に媒体受け面８２が、前側に媒体受け面８３がそれぞれ形成される。本実施形態では、媒体受け面８２，８３を形成する受け面形成部材８２ｍ，８３ｍは、布などのシート材料が用いられる。なお、受け面形成部材８２ｍと受け面形成部材８３ｍとは、材料が繋がった一枚のシート材料が用いられてもよい。
【００２７】
受け面形成部材８２ｍは、その後端縁が、基台部８１に固定された固定部材８６の後端部８６ａによって左右方向に沿った直線状に固定される一方、その前端縁が、基台部８１の前端部の左右両側から上方に向けて立設された一対の支柱部材８１ｂの上部間に架設された棒状部材８５によって左右方向に沿った直線状に固定される。そして、受け面形成部材８２ｍは、その前端縁および後端縁がそれぞれ離れる方向に張力が加えられ、全体が張られた状態になっている。この結果、媒体受け面８２はほぼ平坦面になっている。また、棒状部材８５は固定部材８６の後端部８６ａよりも上方に位置するように配設され、媒体受け面８２は水平から後方下がりで傾斜した傾斜面でもある。従って、媒体受け面８２は、水平から前方下がりの傾斜面である装置本体部１２の媒体支持面５２とは逆の方向に傾斜する傾斜面になっている。
【００２８】
このように張られて平坦面になっている媒体受け面８２の途中には、シートＳＴが媒体受け面８２に沿う後方に向けて移動するのを規制する規制部８４が設けられている。規制部８４は、基台部８１を構成する固定部材８１ａに一方の端部８８ａが固定された規制部材８８によって形成される。本実施形態では、規制部材８８はワイヤー部材であり、その一部であって、媒体受け面８２上に位置する部分が、規制部８４として機能する構成とされている。
【００２９】
また、受け面形成部材８３ｍは、その前端縁が基台部８１に固定されたアーム状の固定部材８７の前端部８７ａによって、左右方向に沿った直線状に固定され、その後端縁が基台部８１の両支柱部材８１ｂの上部間に架設された棒状部材８５によって左右方向に沿った直線状に固定される。そして、固定部材８７の前端部８７ａと棒状部材８５とが、受け面形成部材８３ｍが撓んだ状態になるように所定の間隔を有して配置されることによって、媒体受け面８３は下側に湾曲した凹面形状になっている。
【００３０】
このように受け面形成部材８２ｍ，８３ｍが固定された媒体受け部１８は、媒体受け面８２と媒体受け面８３とによって、媒体支持面５２に沿って排出部１５から排出されたシートＳＴ（カットシートＣＳ）を、被記録面ＳＰを媒体受け面８２，８３と対向する下側にして（フェイスダウン）スタックする。もとより、媒体受け面８２，８３は、左右方向の幅寸法がシートＳＴ（カットシートＣＳ）の幅寸法よりも大きく設定されている。
【００３１】
さて、記録装置１１では、媒体受け部１８は、上記説明のように排出部１５から排出されるシートＳＴを受けてスタックする機能を有することから、排出部１５との間で被記録媒体排出装置１００を構成する。なお、媒体受け部１８の基台部８１は、記録装置１１の全体の基台としても機能する。
【００３２】
本実施形態では、このような構成の被記録媒体排出装置１００を備える記録装置１１は、媒体支持面５２に沿って排出部１５から排出されるシートＳＴの排出後の移動方向を、媒体支持面５２に沿う方向から媒体受け面８２に向かう方向へガイドするガイド部１７を備える。ガイド部１７は、媒体支持面５２の前方の開放空間に設けられ、図２に示すように、ガイド部材７２と、第１バランス部材７３と、第２バランス部材７６とを備えている。これらは、装置本体部１２においてシートＳＴの排出部１５からの排出方向と直交する幅方向（ここでは左右方向）に沿った軸線を有する回動軸７０を中心に回動可能に設けられている。そして、ガイド部１７は、ガイド部材７２の回動に伴って、排出部１５から排出されたシートＳＴを媒体受け部１８へ向かう方向へガイドしたり、媒体受け部１８へ向かう方向へのガイドを解除したりする。
【００３３】
次にガイド部１７について、図２および図３を参照して詳しく説明する。
図２に示すように、ガイド部１７は、装置本体部１２に左右方向に沿うように架設された角パイプ形状を有する固定棒７９に対して左右方向に所定の間隔をあけて取り付けられた複数（ここでは８個）のユニットガイド部７１ａ〜７１ｈを備えている。本実施形態では、これらのユニットガイド部７１ａ〜７１ｈのうち、右端と左端に位置するユニットガイド部７１ａとユニットガイド部７１ｈとが同じ構成で、これらとは別構成内容で端部以外の他のユニットガイド部７１ｂ〜７１ｇ同士が同じ構成で形成されている。従って、ここでは代表して右端のユニットガイド部７１ａとその３つ左隣りのユニットガイド部７１ｄについて説明する。
【００３４】
ユニットガイド部７１ａは、固定棒７９に固定される固定部材７７と、これに支持される回動軸７０と、これに固定される第１バランス部材７３と、これに固定される第２バランス部材７６と、固定板７５によって第１バランス部材７３に固定されるガイド部材７２と、固定部材７７の一部からなる回転規制部材７８と、を備えている。固定部材７７は、固定棒７９にねじ止めなどによって所定の間隔をあけて固定され、左右両側（図２では左側のみ示す）に設けられた軸受け部で回動軸７０を回転自在に保持する。第１バランス部材７３は、板状部材（金属板）で形成され、前方から見て下端部が略逆Ｊ字形状になるように折り曲げられて延設された右側壁部７３ａを有している。そして、この第１バランス部材７３において右側壁部７３ａと左右方向で対向する板状部分（左側壁部）と右側壁部７３ａとに対して、固定部材７７が保持する回動軸７０の左右両端が固定されている。従って、第１バランス部材７３は回動軸７０を中心に回動する。
【００３５】
この第１バランス部材７３に対して、回動軸７０の軸線方向（左右方向）から見て回動軸７０を挟んだ反対側に位置するように、ガイド部材７２が固定板７５によって第１バランス部材７３に固定されている。従って、ガイド部材７２は、第１バランス部材７３と一体となって回動軸７０を中心に回動する。なお、ガイド部材７２と第１バランス部材７３とは回動軸７０を中心に互いに逆方向で等しい大きさの回転モーメント（力のモーメント）を有するように形成され、第１バランス部材およびガイド部材７２が回動軸７０を中心とする回転トルクを発生させないようにしている。
【００３６】
ガイド部材７２は、ワイヤー部材（例えばステンレス棒など）で形成され、隙間を有してシートＳＴの幅方向（左右方向）に略平行になるように２本のワイヤー部材が並ぶ略Ｕ字形状に曲げられて形成されている。また、Ｕ字形状に曲げられた先端部７２ｅの反対側の基端部７２ｃが第１バランス部材７３に固定され、先端部７２ｅから基端部７２ｃに至るまでに２箇所の折曲部Ｋ１，Ｋ２が設けられている。基端側の折曲部Ｋ２は２本のワイヤー部材がそれぞれ反対側に１８０度で折り曲げられたのちさらに先端側の折曲部Ｋ１とは反対側に曲げられ、Ｕ字形状の基端部７２ｃが形成されている。折曲部Ｋ１は２本のワイヤー部材が両側に内角が鈍角の傾斜面を形成するように折り曲げられ、この折り曲げによって、先端部７２ｅから折曲部Ｋ１との間で第２シートガイド部７２ｂが、折曲部Ｋ１と折曲部Ｋ２との間で第１シートガイド部７２ａがそれぞれ形成されている。
【００３７】
また、回動軸７０の軸線方向の右側から見て第１バランス部材７３から反時計方向側に回転した位置であって、第１バランス部材７３と所定の角度をなす位置に、第２バランス部材７６が第１バランス部材７３に固定されている。第２バランス部材７６は、左右方向に厚みを有する略矩形の板状の部材（金属部材）で形成され、回動軸７０を中心として第１バランス部材７３およびガイド部材７２が回転する際の所定の回転トルクＴＱ（図３参照）を与える重量を有している。すなわち、第２バランス部材７６はトルク付与部材として機能する。
【００３８】
さらに、回転規制部材７８は、ガイド部材７２が回転した際に、略平行に形成されたワイヤー部材間の隙間に挿入されてガイド部材７２の回転を規制する。すなわち、回転規制部材７８は、固定部材７７の一部が所定の幅で延設され、折り曲げられることで前方に飛び出すように形成されている。そして前方に飛び出した部分の先端において下側に折り曲げられて形成された折曲部７８ａがワイヤー部材間の隙間に挿入された際にその隙間を一時的に広げるようにして嵌まり込むことによって、回転規制部材７８は、ガイド部材７２が回転しないように規制する。
【００３９】
本実施形態では、ユニットガイド部７１ｈがユニットガイド部７１ａと同じ構成とされることで、ガイド部１７では、左右方向の両端で第２バランス部材７６がガイド部材７２に対して所定の回転トルクＴＱを与えるとともに、回転規制部材７８がガイド部材７２の回転を規制する。
【００４０】
ユニットガイド部７１ｄは、ユニットガイド部７１ａから第２バランス部材７６と回転規制部材７８とを取り外した構成を有している。すなわち、回動軸７０と、ガイド部材７２と、固定部材７７と、第１バランス部材７３と、固定板７５と、を備えている。そして、これらの構成部材は全てユニットガイド部７１ａと同じ構成部材であるので、これらの構成部材についての説明は省略する。
【００４１】
このように構成されたユニットガイド部７１ａ〜７１ｈは、前述するように固定棒７９において左右方向に所定の間隔をあけて取り付けられている。本実施形態では、ユニットガイド部７１ｂ〜７１ｇは、記録装置１１において使用されるシートＳＴの幅寸法に応じて取り付けられている。例えば、最大幅のシートＳＴが用いられる場合は、全てのユニットガイド部７１ａ〜７１ｈがシートＳＴの被記録面ＳＰと接触するように取り付けられ、次に広い幅のシートＳＴが用いられる場合は、ユニットガイド部７１ａ〜７１ｇがシートＳＴの被記録面ＳＰと接触するように取り付けられる。同様にして、その次に広い幅のシートＳＴが用いられる場合は、ユニットガイド部７１ａ〜７１ｆがシートＳＴの被記録面ＳＰと接触するように取り付けられる。このように記録装置１１に用いられる全てのシートＳＴの幅寸法に対応して、被記録面ＳＰと接触する適切な位置になるように、それぞれのユニットガイド部７１ａ〜７１ｈが所定の間隔をあけて取り付けられる。
【００４２】
また、シートＳＴにおいて幅方向に波打ち状態（コックリング）が発生した場合、波打ち状態が発生したシートＳＴに対して集中荷重が加わるように、ユニットガイド部７１ａ〜７１ｈ（特に、ユニットガイド部７１ｂ〜ユニットガイド部７１ｄ）は、互いに間隔を設けて取り付けられている。
【００４３】
また、ユニットガイド部７１ａ〜７１ｈにおける各第１バランス部材７３の先端部分には、基端部分で支持する回動軸７０の中心に向かう方向を長手方向とする長円形状の貫通孔７３ｈが形成され、形成された各貫通孔７３ｈを全て貫くように連結棒７４が配設されている。連結棒７４は、各ユニットガイド部７１ａ〜７１ｈを同時に一体となって回動軸７０を中心に回動させるとともに、ガイド部１７においてガイド部材７２に対して所定の回転トルクＴＱを与えるように貫通孔７３ｈ内において固定される位置が調節される。
【００４４】
本実施形態では、ユニットガイド部７１ａ〜７１ｈの全ての第１バランス部材７３と連結棒７４とが有する回転モーメントと、ユニットガイド部７１ａ〜７１ｈの全てのガイド部材７２が有する回転モーメントとが、回動軸７０を中心としてつり合うように、連結棒７４と回動軸７０との間の距離が調節される。そして、右端のユニットガイド部７１ａと左端のユニットガイド部７１ｈが１つずつ有する２つの第２バランス部材７６によって全てのガイド部材７２に対して所定の回転トルクＴＱを与える。
【００４５】
もとより、連結棒７４の回転トルク、全ての第１バランス部材７３の回転トルク、２つの第２バランス部材７６の回転トルク、および全てのガイド部材７２の回転トルクの各回転トルクを回転方向によりそれぞれ加減算して合計した回転トルクが、所定の回転トルクＴＱとなるように、連結棒７４と回動軸７０との間の距離を調節してもよい。なお、連結棒７４は、回動軸７０との間の距離が調節された状態でユニットガイド部７１ａ，７１ｄ，７１ｈに固定される。
【００４６】
このように所定の回転トルクＴＱが発生するように調節されたガイド部１７では、ガイド部材７２の回動軸７０を中心とする回転変位での位置に応じて、排出部１５から排出されたシートＳＴを媒体受け部１８へ向かう方向へガイドするガイド位置と、媒体受け部１８へ向かう方向へのガイドを解除する非ガイド位置とを有する。このガイド位置と非ガイド位置について、図３を参照して説明する。
【００４７】
図３に示すように、ガイド部１７（ガイド部材７２）は、ガイド位置の一例としての位置Ａ（図中実線）と、非ガイド位置の一例としての位置Ｃ（図中二点鎖線）の間で回転する。本実施形態では、位置Ａは排出部１５から排出が開始されるシートＳＴ（カットシートＣＳ）を媒体受け面８２へガイドする位置であり、位置Ｃは排出部１５からシートＳＴ（カットシートＣＳ）の排出が終了する際の位置である。
【００４８】
位置Ａでは、ガイド部材７２における第１シートガイド部７２ａは、下側が上側よりも前に位置するように鉛直方向から角度αで傾斜し、排出部１５から排出されるシートＳＴの排出方向つまり媒体支持面５２に沿う方向よりも重力方向側であって排出方向に対して鋭角をなす方向に傾斜する傾斜面（第１傾斜面部）になっている。また、第２シートガイド部７２ｂは、第１シートガイド部７２ａに連続して回動軸７０から離れる重力方向側に形成され、同じく下側が上側よりも前に位置するように鉛直方向から角度βで傾斜するとともに、第１シートガイド部７２ａよりも鉛直方向に近い方向に傾斜する傾斜面（第２傾斜面部）になっている。ちなみに、本実施形態では、角度α＝４０度、角度β＝１０度である。
【００４９】
記録装置１１では、ガイド部１７は回動軸７０を中心に右方から見て時計方向に所定の角度回転することで位置Ａから位置Ｃに変位する。したがって、ガイド部材７２が回動軸７０を中心に回転して位置Ｃに移動することによって、第２シートガイド部７２ｂは鉛直方向から角度γで傾斜する。ちなみに、本実施形態ではガイド部１７は位置Ａから３５度回転して位置Ｃに移行する。従って、角度γ＝４５度である。
【００５０】
また、ガイド部１７において、ガイド部材７２に付与する所定の回転トルクＴＱとして、位置Ａにおける回転トルクよりも小さい回転トルクを位置Ｃにおいて発生させるように第２バランス部材７６が第１バランス部材７３に取り付けられている。すなわち、第２バランス部材７６は、位置Ａにおいて水平方向から鉛直方向に傾いた状態になり、位置Ｃにおいて鉛直方向から水平方向に傾いた状態になる位置に取り付けられている。従って、ガイド部１７の位置Ａから位置Ｃへの回転に伴って、第２バランス部材７６の荷重の重心と回動軸７０との間の水平距離が減少することによって、この水平距離と第２バランス部材７６の荷重とを乗算した値である回転トルクＴＱは減少する。
【００５１】
本実施形態の記録装置１１では、このように構成されたガイド部１７によって、排出部１５から排出されるシートＳＴをガイドするとともに、シートＳＴに余計な力がかけられることなく円滑に排出部１５から媒体受け部１８にシートＳＴを排出するように作用する。以下この作用について、図１、図４、図５、および図６を参照して説明する。
【００５２】
図１に示すように、記録部１４によって被記録面ＳＰに記録が施されて搬送されたシートＳＴは、この搬送に伴って媒体支持面５２に沿う方向（図中白抜き矢印Ｈ１）を排出方向として排出部１５から排出される。そして、排出部１５から所定の長さが排出された時点で、その排出方向の先端縁ＳＦが、ガイド位置である位置Ａの状態にあるガイド部材７２における第１シートガイド部７２ａに当接する。
【００５３】
この当接時点において、位置Ａの状態にあるガイド部１７は最大の回転トルクＴＱが作用する状態になっているので、この回転トルクＴＱに応じた力Ｆが、第１シートガイド部７２ａに当接したシートＳＴの先端縁ＳＦに作用する。また、シートＳＴの先端縁ＳＦは、鉛直方向に対して角度α（ここでは４０度）で傾斜する第１シートガイド部７２ａの傾斜面に対して鋭角をなす方向から移動して当接する。このため、第１シートガイド部７２ａは、第１シートガイド部７２ａに当接後のシートＳＴの先端縁ＳＦの移動方向が排出方向から重力方向へ変化するように、排出部１５から排出されたシートＳＴを、被記録面ＳＰと接触しながら図中太い破線で示すように湾曲させる。
【００５４】
この湾曲に際して、ガイド部１７は第１シートガイド部７２ａがシートＳＴによって前方に押されるために回動軸７０を中心に右から見て時計方向へ回転する。従って、この時計方向の回転、つまり位置Ｃ（図３参照）に向かう回転によってガイド部１７における回転トルクＴＱは小さくなるが、回転の途中でシートＳＴの湾曲が完了することによってシートＳＴが第１シートガイド部７２ａ（ガイド部材７２）を押す力が減少する。この結果、ガイド部１７は、再び回転トルクＴＱによって位置Ａに戻るように回転し、シートＳＴと接触する部分を、第１シートガイド部７２ａから第２シートガイド部７２ｂに移しつつ媒体受け部１８へガイドして、シートＳＴを媒体受け面８２へ排出する。ここでのガイド部１７の回転動作とシートＳＴに作用する力Ｆについて図６を参照して説明する。
【００５５】
図６に示すように、シートＳＴの排出開始から所定長さ排出されたところで、シートＳＴはガイド部材７２における第１シートガイド部７２ａに当接する。このシートＳＴの当接時点において位置Ａにある第１シートガイド部７２ａはシートＳＴ（先端縁ＳＦ）に対して最も大きな力Ｆ（図６では５０ｇｆ（グラム重））を作用させるとともに、力の反作用によって位置Ｃへ向けて回転する。従って、第２シートガイド部７２ｂも同様に回転し鉛直方向からの角度βは大きくなるが、シートＳＴの湾曲が完了した時点Ｐ１でガイド部材７２の回転が止り、その後は回転トルクＴＱによって再び位置Ａに戻るように回転する。そして、ガイド部材７２が位置Ａもしくはほぼ位置Ａに戻った状態で、湾曲が完了したシートＳＴを、第１シートガイド部７２ａよりも鉛直方向に近い角度β（ここではほぼ１０度）で傾斜する下側の第２シートガイド部７２ｂによって、被記録面ＳＰを接触させながら媒体受け面８２（媒体受け部１８）へ向かうようにガイドする。
【００５６】
このとき第２シートガイド部７２ｂは、シートＳＴをガイドする際にシートＳＴに作用する回転トルクＴＱに応じた力Ｆを、シートＳＴとの接触部分となっている湾曲部に作用させる。従って、第２シートガイド部７２ｂがシートＳＴに対して作用する力Ｆは、シートＳＴにおいて湾曲部がすでに形成されているため、図６に示すように、第１シートガイド部７２ａがシートＳＴに作用する力よりも大きく減少した小さな力（図６では１０グラム重より小さい値）になっている。
【００５７】
その後、ガイドされて媒体受け面８２に到達したシートＳＴは、その先端縁ＳＦが媒体受け面８２に沿って後方へ移動し、被記録面ＳＰを媒体受け面８２と対向するように下側にして媒体受け面８２に排出される。この間、ガイド部材７２は、回転することなくほぼ同じ位置を保持するとともに、第２シートガイド部７２ｂがシートＳＴに作用する力Ｆは小さな値のまま維持される。そして、媒体受け面８２に排出されたシートＳＴは、排出部１５から所定の長さが排出された時点Ｐ２でその先端縁ＳＦが媒体受け面８２の規制部８４に当接する。
【００５８】
本実施形態の記録装置１１では、シートＳＴは、その先端縁ＳＦが規制部８４と当接したのち、排出部１５から排出されるシートＳＴの長さが所定の長さになった時点で切断手段１６によって切断され、カットシートＣＳに切り分けられる。ここでのガイド部１７の回転動作とシートＳＴに作用する力について、図４および図５を参照して説明する。
【００５９】
図４に示すように、シートＳＴの先端縁ＳＦが規制部８４に当接した時点Ｐ２の後、シートＳＴは排出部１５から図中白抜き矢印Ｈ１で示す排出方向にさらに排出される。すると、さらに排出されたシートＳＴの部分は媒体受け面８２への移動（白抜き矢印Ｈ２）が規制されているのでシートＳＴにおける湾曲部ＲＳを前方に押し出す。このとき、回転の支点となる回動軸７０からの距離との関係から湾曲部ＲＳに対して作用している第２シートガイド部７２ｂの力Ｆは小さいので、湾曲部ＲＳは第２シートガイド部７２ｂを右から見て時計方向へ容易に回転させる。すると、この第２シートガイド部７２ｂの回転に伴ってガイド部１７が回転するため、ガイド部１７の回転トルクＴＱが減少する。従って、前方に押し出されるシートＳＴ（湾曲部ＲＳ）に対して押し出し方向に抗して作用する力Ｆは、回転とともにさらに小さくなる。
【００６０】
そして図４に示すように、第２シートガイド部７２ｂの時計方向への回転の開始後、排出部１５から所定の長さのシートＳＴがさらに排出され、図５に示すように湾曲部ＲＳは図４に示した状態からさらに押し出される。そして、切断手段１６によってシートＳＴが切断され、カットシートＣＳに切り分けられる。この結果、カットシートＣＳの後端縁ＳＥは搬送による移動から開放されて自重によって移動（落下）する。この自重によって移動するカットシートＣＳの移動に際して、ガイド部１７は、カットシートＣＳを媒体受け面８２へのガイドを解除する位置へ変位するように回転動作する。ここでのガイド部１７の回転動作とシートＳＴに作用する力Ｆについて、再び図６を参照して説明する。
【００６１】
図６に示すように、排出開始から所定の長さのシートＳＴが排出されると、ガイド部１７は回転し、位置Ｂを通過し位置Ｃまで変位する。位置Ｃに変位した状態では、第２シートガイド部７２ｂの鉛直方向からの角度βは最大値（ここでは４５度）となるとともに、回転トルクＴＱも最小となる。そして、切断手段１６によってシートＳＴが切断されてカットシートＣＳに切り分けられ、ガイド部１７（第２シートガイド部７２ｂ）はカットシートＣＳを媒体受け面８２の方向へガイドする作用が解除されるとともに、カットシートＣＳに作用する力Ｆも最小となる。
【００６２】
その後、カットシートＣＳの後端縁ＳＥがガイド部１７を通過して排出が終了するまでに、自重で移動する後端縁ＳＥが第２シートガイド部７２ｂから離れることによって、ガイド部１７は第２バランス部材７６の回転トルクにより回転し、位置Ｃから位置Ｄまで戻るように変位する。そして、後端縁ＳＥが離れた後は、さらに回転して位置Ｅ（位置Ａと同じ位置）まで変位する。
【００６３】
本実施形態の記録装置１１では、このように、カットシートＣＳが排出部１５から排出される際に、ガイド部１７は、その後端縁ＳＥの自重による移動（落下）を規制しないように位置Ｃへ回転変位する。この位置Ｃの回転状態におけるガイド部１７の作用について、図５を参照して説明する。
【００６４】
図５に示す状態で、カットシートＣＳに切り分けられると、搬送による移動が開放され自重によって移動するカットシートＣＳの後端縁ＳＥ側は、一旦排出部１５から図中白抜き矢印Ｈ１で示す排出方向に排出される。切断と同時に、第２シートガイド部７２ｂにはカットシートＣＳによって右から見て反時計方向に回転する力が働くが、極めて小さい力であるためカットシートＣＳの落下を妨げるほどではない。カットシートＣＳの後端縁ＳＥが第２シートガイド部７２ｂから外れるときには、ガイド部１７は位置Ｄまで回転変位し、第２シートガイド部７２ｂの回転力はわずかに上昇するが、落下力の方が大きいため排出が可能となる。
【００６５】
この結果、移動したカットシートＣＳの後端縁ＳＥ側は、固定部材８１ａの上端部８１ｃの上方を前方に押し出されるように移動して、被記録面ＳＰを媒体受け面８３に対向させた状態で排出される。
【００６６】
なお、本実施形態では、図６に示すように、第２シートガイド部７２ｂの角度βが、位置Ａにおける角度（１０度）から、シートＳＴにおいて湾曲が完了する時点Ｐ１を通過してシートＳＴの先端縁ＳＦが媒体受け面８２の規制部８４に当接する時点Ｐ２までの間の範囲ＧＰ内である状態が、ガイド部１７のガイド位置に相当する。また、第２シートガイド部７２ｂの角度βが、シートＳＴの先端縁ＳＦが媒体受け面８２の規制部８４に当接する時点Ｐ２における角度から、排出が終了する位置Ｅにおける角度までの間の範囲ＮＧＰ内の角度である状態が、ガイド部１７の非ガイド位置に相当する。
【００６７】
上記説明した実施形態によれば、以下の効果を得ることができる。
（１）排出されるシートＳＴを、ガイド位置である位置Ａにあるガイド部１７によって被記録面ＳＰ側が凸面となるように湾曲させつつ、シートＳＴの先端縁ＳＦの移動方向を媒体受け面８２の方向にガイドする。この結果、シートＳＴは、その排出方向の先端縁ＳＦが媒体受け面８２に接触した後、その媒体受け面８２に沿って移動して、被記録面ＳＰが媒体受け面８２と対向する状態つまりフェイスダウン状態で媒体受け面８２上に適切に排出される。また、そのようにシートＳＴが排出される途中で、ガイド部１７のガイド部材７２はシートＳＴに形成される湾曲部ＲＳによって押圧されることによりガイド位置から非ガイド位置である位置Ｃに回動変位させられるので、シートＳＴ（カットシートＣＳ）は余計な力がかけられることなく円滑に排出部１５から排出される。
【００６８】
（２）シートＳＴの湾曲部ＲＳによって押圧されて位置Ｃに回動変位したガイド部１７のガイド部材７２は、シートＳＴに加える力が、位置ＡにおいてシートＳＴに加える力よりも小さくなる。従って、シートＳＴ（カットシートＣＳ）は余計な力がかけられることなく、円滑に排出部１５から排出される。
【００６９】
（３）ガイド部材７２の形状に関わらず、第２バランス部材７６によってガイド部１７がシートＳＴに対して加える力を調節することができる。
（４）ガイド部１７は、シートＳＴの排出方向が鉛直方向に向くようにシートＳＴを湾曲させることができる。従って、排出されたシートＳＴ（カットシートＣＳ）は媒体受け面８２に適切に排出される。
【００７０】
（５）幅方向において波打ち状態（コックリング）が発生したシートＳＴに対して、波打ち状態となった部分に対してガイド部材７２によって集中荷重をかけることができる。従ってシートＳＴの波打ち部分に対して矯正力を作用させることができる。
【００７１】
（６）記録部１４によってシートＳＴに記録を施すとともに、記録が施された被記録面ＳＰを媒体受け面８２と対向する状態つまりフェイスダウン状態で、シートＳＴ（カットシートＣＳ）に余計な力がかけられることなく円滑に排出部１５から媒体受け部１８に排出される記録装置１１を提供できる。
【００７２】
なお、上記実施形態において、以下のような別の実施形態に変更してもよい。
・上記実施形態において、ガイド部１７は、ワイヤー部材でなく板状部材でガイド部材７２を形成してもよい。こうすれば、シートＳＴとの接触面積が増えるので、例えばシートＳＴの先端縁ＳＦがガイド部材７２（第１シートガイド部７２ａ）に当接した際に先端縁ＳＦの変形を抑制することができる。また、ガイド部材７２を板状部材で形成する場合は、ガイド部１７は、幅方向に間隔を空けずに連続する面で形成されたガイド部材７２を有することとしてもよい。
【００７３】
・上記実施形態において、ガイド部材７２は折曲部Ｋ１を形成することなく、連続する曲面で、第１シートガイド部７２ａおよび第２シートガイド部７２ｂを形成することとしてもよい。この場合、第１シートガイド部７２ａの曲面上端における接線の角度が角度αとなる傾斜面とし、第２シートガイド部７２ｂの曲面下端における接線の角度が角度βとなる傾斜面とすればよい。なお、第２シートガイド部７２ｂの曲面下端における角度βは、１０度よりも小さい角度（例えば鉛直方向）としても差し支えない。
【００７４】
・上記実施形態において、ガイド部１７は、第２バランス部材７６が必ずしも設けられなくてもよい。ガイド位置における回転トルクよりも非ガイド位置における回転トルクが小さくなる機構であれば、第２バランス部材に替えて採用することができる。
【００７５】
・上記実施形態において、ガイド部１７は、非ガイド位置（位置Ｃ）における回転トルクＴＱがガイド位置（位置Ａ）における回転トルクＴＱよりも必ずしも小さい回転トルクでなくてもよい。どちらも同じ回転トルクＴＱであってもよいし、逆に、非ガイド位置（位置Ｃ）における回転トルクＴＱがガイド位置（位置Ａ）における回転トルクＴＱよりも大きくても差し支えない。要するに、非ガイド位置（位置Ｃ）にあるガイド部材７２が、シートＳＴの後端縁ＳＥ側の媒体受け部１８（媒体受け面８３）へ移動を抑制する力を作用させることのない回転トルクであればよい。
【００７６】
・上記実施形態において、被記録媒体排出装置１００は必ずしも記録部１４を有する記録装置１１に備えられなくてもよい。例えば既に被記録面に記録が施されたシートを、被記録面を重力方向側にして受ける被記録媒体排出装置であれば、本発明を適用可能である。
【００７７】
・上記実施形態では、記録装置を、液体の一例としてのインクを噴射する液体噴射ヘッドを記録ヘッドとして有する記録装置１１に具体化したが、インク以外の他の液体を噴射したり吐出したりする液体噴射装置に具体化してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置がある。あるいは、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００７８】
１１…記録装置、１４…記録部、１５…媒体排出部としての排出部、１７…ガイド部、１８…媒体受け部、５１，５２…媒体支持面、７０…回動軸、７２…ガイド部材、７２ａ…第１傾斜面部としての第１シートガイド部、７２ｂ…第２傾斜面部としての第２シートガイド部、７３…第１バランス部材、７６…トルク付与部材としての第２バランス部材、８２，８３…媒体受け面、１００…被記録媒体排出装置、ＣＳ…被記録媒体としてのカットシート、ＳＴ…被記録媒体としてのシート、ＳＰ…被記録面、Ａ…ガイド位置としての位置、Ｂ…位置、Ｃ…非ガイド位置としての位置、Ｄ，Ｅ…位置、ＲＳ…湾曲部、ＴＱ…回転トルク。
【図１】
2013079131.tif 000003
【図２】
2013079131.tif 000004
【図３】
2013079131.tif 000005
【図４】
2013079131.tif 000006
【図５】
2013079131.tif 000007
【図６】
2013079131.tif 000008